(57)【要約】【課題】  文書情報を階層構造で保持する文書に対して原稿ページデータの空白部分を詰めて再レイアウトすると、階層構造が崩れてしまう。【解決手段】  原稿データと階層構造との関係を判定する階層構造判定ステップ（１００３）と、再レイアウト処理をスキップする事が可能な再レイアウト制御ステップ（１００５）と、を持ち、前期階層構造判定ステップ（１００３）によって階層構造の部分木を超えると判断された場合に、前期再レイアウト制御ステップ（１００５）は再レイアウト処理をスキップする。【選択図】  図１０
2013161459.tif 000002
【特許請求の範囲】
【請求項１】
文書情報を階層構造で保持し、かつ、原稿ページデータの空白部分を詰めて再レイアウトする機能を持つ文書処理方法であり、
原稿データと階層構造との関係を判定する階層構造判定ステップ（１００３）と、
再レイアウト処理をスキップする事が可能な再レイアウト制御ステップ（１００５）と、を持ち、
前期階層構造判定ステップ（１００３）によって階層構造の部分木を超えると判断された場合に、前期再レイアウト制御ステップ（１００５）は再レイアウト処理をスキップする事を特長とする文書処理方法。
【請求項２】
前記文書処理方法はさらに、区切りデータ挿入ステップ（１００６）を有し、前記階層構造判定ステップ（１００３）によって階層構造の部分木を超えると判断した場合に、区切りを示すデータを挿入することを特徴とする請求項１に記載の文書処理方法。
【請求項３】
前記文書処理方法はさらにページ削除ステップ（１００９）を有し、再レイアウト処理によって空白ページができた場合にはその空白ページを削除することを特徴とする請求項１に記載の文書処理方法。
【請求項４】
前記レイアウト制御ステップ（１００５）は、さらに、階層構造のノードに設定された属性を取得するステップ（１２０１および１２０２）を有し、前記階層構造判定ステップ（１００３）によって階層構造の部分木を超えると判断した場合に、再レイアウト対象の原稿ページが属する部分木の属性によってレイアウト処理をスキップするかどうかを決定することを特徴とする請求項１に記載の文書処理方法。
【請求項５】
前記文書処理方法はさらに階層構造維持を判定する維持判定ステップ（１３０４）とページデータ移動ステップ（１３０５）とを有し、前記維持判定判定ステップ（１３０４）が階層構造を維持すると判定した場合に、階層構造を超えて再レイアウトされたページを、前の部分木の末尾から後の部分木の銭湯へと移動することを特徴とする請求項1に記載の文書処理方法。
【発明の詳細な説明】
【技術分野】
【０００１】
本発明は文書に対する編集機能を提供する文書処理方法及びそのシステムに関し、特にパーソナルコンピュータ等の情報処理とプリンタから成るシステムにおける文書処理方法及びそのシステムに関するものである。
【背景技術】
【０００２】
従来の文書処理方法には、情報の欠落を生じさせないで、効率よく画像を縮小する方法がある。(例えば、特許文献１参照)。また、デジタルコンテンツを作成するに当たり、コンテンツの重要度に応じてレイアウトを調整する方法が提示されている（例えば特許文献２）。
【先行技術文献】
【特許文献】
【０００３】
【特許文献１】特開2009-21282号公報
【特許文献２】特開2009-13476号公報
【発明の概要】
【発明が解決しようとする課題】
【０００４】
しかしながら、文書を章などの階層構造で保持する場合に、階層構造を考慮してレイアウトを調整する事ができていないという課題がある。このため、階層構造を超えてレイアウトを調整してしまう場合があり、文章の区切りが分かりにくくなる事があった。
【課題を解決するための手段】
【０００５】
文書情報を階層構造で保持し、かつ、原稿ページデータの空白部分を詰めて再レイアウトする機能を持つ文書管理システムであり、原稿データと階層構造との関係を判定する階層構造判定手段と、再レイアウト処理をスキップする事が可能な再レイアウト制御手段と、を持ち、前期階層構造判定手段によって階層構造の部分木を超えると判断された場合に、前期再レイアウト制御手段は再レイアウト処理をスキップする事を特長とする文書処理装置。
【発明の効果】
【０００６】
本発明によれば、原稿データと階層構造との関係を判定する階層構造判定手段と、再レイアウト処理をスキップする事が可能な再レイアウト制御手段と、を持ち、前期階層構造判定手段によって階層構造の部分木を超えると判断された場合に、前期再レイアウト制御手段は再レイアウト処理をスキップする事が可能となる。
【図面の簡単な説明】
【０００７】
【図１】本実施形態の文書処理システムのソフトウェア構成を示す図である。
【図２】本実施形態の文書処理システムのハードウェア構成を示す図である。
【図３】ブックファイルの形式の一例を模式的に示す図である。
【図４】ブック属性（文書設定情報３０３）の例を示すリストである。
【図５】章属性（章設定情報３０７）の例を示すリストである。
【図６】ページ属性（ページ設定情報３１１）の例を示すリストである。
【図７】ユーザインタフェース（ＵＩ）画面の例である。
【図８】間締め処理の概要を示す図である。
【図９】ＵＩ画面７００の表示例である。
【図１０】章の構成を考慮した間締め処理の例を示すフローチャートである。
【図１１】ユーザによる条件指定を受け付けるためのＧＵＩの例である。
【図１２】間締め処理を実施してよいかどうかを判定する処理の例を示すフローチャートである。
【図１３】白紙除去処理の例を示すフローチャートである。
【発明を実施するための形態】
【０００８】
以下、添付図面に従って、本発明の実施形態を詳細に説明する。
【０００９】
［本実施形態の文書処理システムの概要］
本発明の第１の実施形態である文書処理システムの概要を、図１〜図７を参照して説明する。この文書処理システムでは、一般アプリケーションにより作成されたデータファイルが、電子原稿ライタによって電子原稿ファイルに変換される。製本アプリケーションはその電子原稿ファイルを編集する機能を提供している。尚、本例では、それぞれの機能が明瞭になるように、一般アプリケーション、電子原稿ライタ、製本アプリケーション、電子原稿デスプーラと分離して示しているが、ユーザに提供されるパッケージはこれらに限定されず、これらを組み合わせたアプリケーションやグラフィックエンジンとして提供されてもよい。以下、その詳細は説明する。
【００１０】
＜本実施形態の文書処理システムのソフトウェア構成例＞
図１は、本実施形態の文書処理システムのソフトウェア構成を示す図である。
【００１１】
文書処理システムは、本発明の文書処理装置（情報処理装置）の好適な実施形態であるデジタルコンピュータ１００（以下、ホストコンピュータとも呼ばれる）によって実現されている。一般アプリケーション１０１は、ワードプロセシングやスプレッドシート、フォトレタッチ、ドローあるいはペイント、プレゼンテーション、テキスト編集などの機能を提供するアプリケーションプログラムであり、ＯＳに対する印刷機能を有している。これらアプリケーションは、作成された文書データや画像データなどのアプリケーションデータを印刷するにあたって、オペレーティングシステム（ＯＳ）により提供される所定のインタフェース（一般に、ＧＤＩと呼ばれる）を利用する。すなわち、アプリケーション１０１は、作成したデータを印刷するために、前記インタフェースを提供するＯＳの出力モジュールに対して、あらかじめ定められる、ＯＳに依存する形式の出力コマンド（ＧＤＩ関数と呼ばれる）を送信する。出力コマンドを受けた出力モジュールは、プリンタ等の出力デバイスが処理可能な形式にそのコマンドを変換し、変換されたコマンド（ＤＤＩ関数と呼ばれる）を出力する。出力デバイスが処理可能な形式はデバイスの種類やメーカ、機種などによって異なるために、デバイスごとにデバイスドライバが提供されており、ＯＳではそのデバイスドライバを利用してコマンドの変換を行い、印刷データを生成し、ＪＬ（Job Language）でくくることにより印刷ジョブが生成される。ＯＳとしてマイクロソフト社のウインドウズを利用する場合には、前述した出力モジュールとしてはＧＤＩ（Graphic Device Interface）と呼ばれるモジュールが相当する。
【００１２】
電子原稿ライタ１０２は、前述のデバイスドライバを改良したものであり、本文書処理システム実現のために提供されるソフトウェアモジュールである。ただし、電子原稿ライタ１０２は特定の出力デバイスを目的としておらず、後述の製本アプリケーション１０４やプリンタドライバ１０６により処理可能な形式に出力コマンドを変換する。この電子原稿ライタ１０２による変換後の形式（以後、「電子原稿形式」と呼ぶ。）は、ページ単位の原稿を詳細な書式をもって表現可能であれば特に問わない。実質的な標準形式のうちでは、例えばアドビシステムズによるＰＤＦ形式や、ＳＶＧ形式などが電子原稿形式として採用できる。
【００１３】
アプリケーション１０１により電子原稿ライタ１０２を利用させる場合には、出力に使用するデバイスドライバとして電子原稿ライタ１０２を指定してから印刷を実行させる。ただし、電子原稿ライタ１０２によって作成されたままの電子原稿ファイルは、電子原稿ファイルとして完全な形式を備えていない。そのため、デバイスドライバとして電子原稿ライタ１０２を指定するのは製本アプリケーション１０４であり、その管理下でアプリケーションデータの電子原稿ファイルへの変換が実行される。製本アプリケーション１０４は、電子原稿ライタ１０２が生成した新規の不完全な電子原稿ファイルを後述する形式を備えた電子原稿ファイルとして完成させる。以下では、この点を明瞭に識別する必要がある際には、電子原稿ライタ１０２によって作成されたファイルを電子原稿ファイルと呼び、製本アプリケーションによって構造を与えられた電子原稿ファイルをブックファイルと呼ぶ。また、特に区別する必要がない場合は、アプリケーションにより生成されるドキュメントファイル、電子原稿ファイル、及びブックファイルをいずれも文書ファイル（または文書データ）と呼ぶ。
【００１４】
このようにデバイスドライバとして電子原稿ライタ１０２を指定し、一般アプリケーション１０１によりそのデータを印刷させることで、アプリケーションデータはアプリケーション１０１によって定義されたページ（以後、「論理ページ」あるいは「原稿ページ」と呼ぶ。）を単位とする電子原稿形式に変換され、電子原稿ファイル１０３としてハードディスクなどの記憶媒体に格納される。なお、ハードディスクは、本実施形態の文書処理システムを実現するコンピュータが備えているローカルドライブであってもよいし、ネットワークに接続されている場合にはネットワーク上に提供されるドライブであっても良い。
【００１５】
製本アプリケーション１０４は、電子原稿ファイルあるいはブックファイル１０３を読み込み、それを編集するための機能を利用者に提供する。ただし製本アプリケーション１０４は、各ページの内容を編集する機能は提供しておらず、ページを最小単位として構成される、後述する章やブックの構造を編集するための機能を提供している。
【００１６】
製本アプリケーション１０４によって編集されたブックファイル１０３を印刷する際には、製本アプリケーション１０４によって電子原稿デスプーラ１０５が起動される。電子原稿デスプーラ１０５は、製本アプリケーションと共にコンピュータ内にインストールされるプログラムモジュールであり、製本アプリケーションで利用するドキュメント（ブックファイル）を印刷する際に、プリンタドライバへ描画データを出力するために使用されるモジュールである。電子原稿デスプーラ１０５は、指定されたブックファイルをハードディスクから読み出し、ブックファイルに記述された形式で各ページを印刷するために、前述したＯＳの出力モジュールに適合する出力コマンドを生成し、不図示の出力モジュールに出力する。その際に、出力デバイスとして使用されるプリンタ１０７のドライバ１０６がデバイスドライバとして指定される。出力モジュールは、指定されたプリンタ１０７のプリンタドライバ１０６を用いて受信した出力コマンドを、プリンタ１０７で解釈実行可能なデバイスコマンドに変換する。そしてデバイスコマンドはプリンタ１０７に送信され、プリンタ１０７によってコマンドに応じた画像が印刷される。
【００１７】
なお、電子原稿ライタ１０２、製本アプリケーション１０４、電子原稿デスプーラ１０５、プリンタドライバ１０５は、ホストコンピュータ１００の外部メモリ２１１或いはＲＡＭ２０２、ＲＯＭ２０３に記憶されたプログラムであり、ＣＰＵ２０１によりＲＡＭ２０２に読み込まれ、ＣＰＵ２０１によって実行される。
【００１８】
＜本実施形態の文書処理システムのハードウェア構成例＞
図２は、本実施形態の文書処理システムのハードウェア構成を示す図である。図２において、ホストコンピュータ１００は、ＲＯＭ２０３内のプログラム用ＲＯＭあるいは外部メモリ２１１に記憶された文書処理プログラム等に基づいて図形、イメージ、文字、表（表計算等を含む）等が混在した文書処理を実行するＣＰＵ２０１を備え、システムバス２０４に接続される各デバイスをＣＰＵ２０１が総括的に制御する。また、このＲＯＭ２０３内のプログラム用ＲＯＭあるいは外部メモリ２１１には、ＣＰＵ２０１の制御プログラムであるオペレーティングシステムプログラム等を記憶し、ＲＯＭ２０３内のフォント用ＲＯＭあるいは外部メモリ２１１には上記文書処理の際に使用するフォントデータ等を記憶し、ＲＯＭ２０３内のデータ用ＲＯＭあるいは外部メモリ２１１には上記文書処理等を行う際に使用する各種データを記憶する。ＲＡＭ２０２は、ＣＰＵ２０１の主メモリ、ワークエリア等として機能する。
【００１９】
キーボードコントローラ（ＫＢＣ）２０５は、キーボード２０９や不図示のポインティングデバイスからのキー入力を制御する。ＣＲＴコントローラ（ＣＲＴＣ）２０６は、ＣＲＴディスプレイ（ＣＲＴ）２１０の表示を制御する。２０７はディスクコントローラ（ＤＫＣ）で、ブートプログラム、各種のアプリケーション、フォントデータ、ユーザファイル、編集ファイル、プリンタ制御コマンド生成プログラム（以下プリンタドライバ）等を記憶するハードディスク（ＨＤ）、フロッピー（登録商標）ディスク（ＦＤ）等の外部メモリ２１１とのアクセスを制御する。プリンタコントローラ（ＰＲＴＣ）２０８は、双方向性インタフェース（インタフェース）２１を介してプリンタ１０７に接続されて、プリンタ１０７との通信制御処理を実行する。ＮＣ２１２はネットワークに接続されて、ネットワークに接続された他の機器との通信制御処理を実行する。
【００２０】
なお、ＣＰＵ２０１は、例えばＲＡＭ２０２上に設定された表示情報ＲＡＭへのアウトラインフォントの展開（ラスタライズ）処理を実行し、ＣＲＴ２１０上でのＷＹＳＩＷＹＧを可能としている。また、ＣＰＵ２０１は、ＣＲＴ２１０上の不図示のマウスカーソル等で指示されたコマンドに基づいて登録された種々のウインドウを開き、種々のデータ処理を実行する。ユーザは印刷を実行する際、印刷の設定に関するウインドウを開き、プリンタの設定や、印刷モードの選択を含むプリンタドライバに対する印刷処理方法の設定を行える。
【００２１】
プリンタ１０７は、ＣＰＵ３１２により制御される．プリンタのＣＰＵ３１２は、ＲＯＭ３１３内のプログラム用ＲＯＭに記憶された制御プログラム等あるいは外部メモリ３１４に記憶された制御プログラム等に基づいてシステムバス３１５に接続される印刷部（プリンタエンジン）３１７に出力情報としての画像信号を出力する．また、このＲＯＭ３１３内のプログラムＲＯＭには、ＣＰＵ３１２の制御プログラム等を記憶する．ＲＯＭ３１３内のフォント用ＲＯＭには上記出力情報を生成する際に使用するフォントデータ等が記憶され、ＲＯＭ３１３内のデータ用ＲＯＭには、ハードディスク等の外部メモリ３１４がないプリンタの場合には、ホストコンピュータ上で利用される情報等が記憶されている。
【００２２】
ＣＰＵ３１２は入力部３１８を介してホストコンピュータとの通信処理が可能となっており、プリンタ内の情報等をホストコンピュータ１００に通知できる．ＲＡＭ３１９は、ＣＰＵ３１２の主メモリや、ワークエリア等として機能するＲＡＭで、図示しない増設ポートに接続されるオプションＲＡＭによりメモリ容量を拡張することができるように構成されている．なお、ＲＡＭ３１９は、出力情報展開領域、環境データ格納領域、ＮＶＲＡＭ等に用いられる．前述したハードディスク（ＨＤ）、ＩＣカード等の外部メモリ３１４は、メモリコントローラ（ＭＣ）２０によりアクセスを制御される．外部メモリ３１４は、オプションとして接続され、フォントデータ、エミュレーションプログラム、フォームデータ等を記憶する．また、３２１は前述した操作パネルで、操作のためのスイッチ及びＬＥＤ表示器等が配されている。
【００２３】
また、前述した外部メモリ３１４は１個に限らず、複数個備えられ、内蔵フォントに加えてオプションカード、言語系の異なるプリンタ制御言語を解釈するプログラムを格納した外部メモリを複数接続できるように構成されていてもよい．更に、図示しないＮＶＲＡＭを有し、操作パネル３２１からのプリンタモード設定情報を記憶するようにしてもよい。
【００２４】
＜電子原稿データの形式例＞
編集アプリケーション１０４の詳細を言及する前に、ブックファイルのデータ形式を説明する。ブックファイルは紙媒体の書物を模した３層の層構造を有する。上位層は「ブック」と呼ばれ、１冊の本を模しており、その本全般に係る属性が定義されている。その下の中間層は、本でいう章に相当し、やはり「章」と呼ばれる。各章についても、章ごとの属性が定義できる。下位層は「ページ」であり、アプリケーションプログラムで定義された各ページに相当する。各ページついてもページごとの属性が定義できる。ひとつのブックは複数の章を含んでいてよく、また、ひとつの章は複数のページを含むことができる。
【００２５】
図３は、ブックファイルの形式の一例を模式的に示す図である。この例のブックファイルにおける、ブック、章、ページは、それぞれに相当するノードにより示されている。ひとつのブックファイルはひとつのブックを含む。ブック、章は、ブックとしての構造を定義するための概念であるから、定義された属性値と下位層へのリンクとをその実体として含む。ページは、アプリケーションプログラムによって出力されたページごとのデータを実体として有する。そのため、ページは、その属性値のほか、原稿ページの実体（原稿ページデータ）と各原稿ページデータへのリンクを含む。尚、紙媒体等に出力する際の印刷ページは複数の原稿ページを含む場合がある。この構造に関してはリンクによって表示されず、ブック、章、ページ各階層における属性として表示される。
【００２６】
図３では、ブックファイルが１つの完結したブックである必要はないので、「ブック」を「文書」として一般化して記載している。
【００２７】
まず最上位に文書情報３０１を持つ。文書情報３０１は３０２〜３０４の３つのパートに大別できる。文書制御情報３０２は、文書ファイルのファイルシステムにおけるパス名などの情報を保持する。文書設定情報３０３は、ページレイアウトなどのレイアウト情報とステープルなど印刷装置の機能設定情報を保持し、ブックの属性に相当する。章情報リスト３０４は、文書を構成している章の集合をリスト形式で保持する。リストが保持するのは章情報３０５である。
【００２８】
章情報３０５も３０６〜３０８の３つのパートに大別できる。章制御情報３０６は、章の名称などの情報を保持する。章設定情報３０７は、その章特有のページレイアウトやステープルの情報を保持し、章の属性に相当する。章ごとに設定情報をもつことで最初の章は２UPのレイアウトその他の章は４UPのレイアウトのように複雑なレイアウトを持った文書を作成することが可能である。ページ情報リスト３０８は各章を構成する原稿ページの集合リスト形式で保持している。ページ情報リスト３０８が指示するのは、ページ情報データ３０９である。
【００２９】
ページ情報データ３０９も３１０〜３１２の３つのパートに大別される。ページ制御情報３１０は、ツリー上に表示するページ番号などの情報を保持する。ページ設定情報３１１は、ページ回転角やページの配置位置情報などの情報を保持し、原稿ページの属性に相当する。ページリンク情報３１２は、ページに対応する原稿データである。この例では、ページ情報３０９が直接原稿データを持つのではなく、リンク情報３１２だけをもち、実際の原稿データは、ページデータリスト３１３で保持する構成としている。
【００３０】
図４は、ブック属性（文書設定情報３０３）の例を示すリストである。通常、下位層と重複して定義可能な項目に関しては、下位層の属性値が優先採用される。そのため、ブック属性にのみ含まれる項目に関しては、ブック属性に定義された値はブック全体を通して有効な値となる。しかし、下位層と重複する項目については、下位層において定義されていない場合における既定値としての意味を有する。しかし、本例では、後述するように、下位層の属性値を優先するか否かが選択可能となっている。なお、図示された各項目は具体的に１項目に対応するのではなく、関連する複数の項目を含むものもある。
【００３１】
図５は、章属性（章設定情報３０７）の、図６はページ属性（ページ設定情報３１１）の例を示すリストである。章属性とページ属性との関係もブック属性と下位層の属性との関係と同様である。
【００３２】
＜本実施形態の文書処理システムの操作手順例＞
（ブックファイルの生成手順例）
ブックファイルは、上述したような構造及び内容を有している。次に、製本アプリケーション１０４及び電子原稿ライタ１０２によってブックファイルを作成する手順を説明する。ブックファイルの作成は、製本アプリケーション１０４によるブックファイルの編集操作の一環として実現される。
【００３３】
図７は、ブックファイルを開き、そのブックファイルの構造、属性、内容に従ってユーザインタフェース（ＵＩ）画面を表示するＵＩ画面の一例である。ＵＩ画面７００は、ブックの構造を示すツリー部７０１と、印刷された状態を表示するプレビュー部７０２と、文書設定情報３０３を設定する文書設定部７０３とを含む。ツリー部７０１には、ブックに含まれる章、各章に含まれるページが、図３のような木構造が分かるように表示される。ツリー部７０１に表示されるページは原稿ページである。プレビュー部７０２には、印刷ページの内容が縮小されて表示される。その表示順序は、ブックの構造を反映したものとなっている。文書設定部７０３には、文書設定である印刷方法、用紙サイズなどを設定するためのＧＵＩコントロールを表示する。
【００３４】
（ブックファイルの編集例）
以上のようにして、アプリケーションデータからブックファイルを作成することができる。生成されたブックファイルについては、章及びページに対して次のような編集操作が可能である。本例における、編集時の表示及び操作例については、以下で詳細に示す。
【００３５】
（ブックファイルの出力例）
以上のように作成・編集されるブックファイルは印刷出力を最終目的としている。利用者が図７に示す製本アプリケーションのＵＩ画面７００からファイルャメニューを選択し、そこから印刷を選択すると、指定した出力デバイスにより印刷出力される。この際、まず製本アプリケーション１０４は、現在開かれているブックファイルからジョブチケットを作成して電子原稿デスプーラ１０５に渡す。電子原稿デスプーラ１０５は、ジョブチケットをＯＳの出力コマンド、例えばウインドウズのＧＤＩコマンドに変換し、それを出力モジュール、例えばＧＤＩに送信する。出力モジュールは、指定されたプリンタドライバ１０６によってデバイスに適したコマンドを生成し、そのデバイスに送信する。
【００３６】
ここで、上記ジョブチケットは、原稿ページを最小単位とする構造を有するデータである。ジョブチケットにおける構造は、用紙上における原稿ページのレイアウトを定義している。ジョブチケットは１ジョブにつき１つ発行される。そのため、まず最上位にドキュメントというノードがあり、文書全体の属性、例えば両面印刷／片面印刷などが定義されている。その下には、用紙ノードが属し、用いるべき用紙の識別子や、プリンタにおける給紙口の指定などの属性が含まれる。各用紙ノードには、その用紙で印刷されるシートのノードが属する。１シートは１枚の用紙に相当する。各シートには、印刷ページ（物理ページ）が属する。片面印刷ならば１シートには１物理ページが属し、両面印刷ならば１シートに２物理ページが属する。各物理ページには、その上に配置される原稿ページが属する。また物理ページの属性として、原稿ページのレイアウトが含まれる。
【００３７】
（プレビュー表示の内容例）
すでに説明したとおり、ブックファイルが製本アプリケーションによって開かれると、図７に示すユーザインタフェース画面７００が表示される。ツリー部７０１には、開いているブック（以下、「注目ブック」と呼ぶ。）の構造を示すツリーが表示される。プレビュー部には、利用者の指定に応じて、３通りの表示方法が用意されている。第１は原稿ページをそのまま表示する原稿ビューと呼ばれるモードである。原稿ビューモードでは、注目ブックに属する原稿ページの内容が縮小されて表示される。プレビュー部の表示にレイアウトは反映されない。第２は印刷ビューモードである。印刷ビューモードでは、プレビュー部７０２には、原稿ページのレイアウトが反映された形で原稿ページが表示される。第７は簡易印刷ビューモードである。簡易印刷ビューモードでは、各原稿ページの内容はプレビュー部の表示には反映されず、レイアウトのみが反映される。
【００３８】
＜本実施形態の文書処理システムの間締め処理の概要＞
図８は、間締め処理の概要を示す図である。図８−(a)は、ページ８０１とページ８０２を対象に間締め処理を実施しページ８０３とページ８０４が生成される例、図8-(b)は、ページ８０５とページ８０６をそれぞれ対象として間締め処理を実施しページ８０７とページ８０８が生成される場合の例である。図8-(a)では、ページ８０１、ページ８０２が共にデータが少なく、ページ８０２のデータがページ８０１の下部の余白に収めることができる。このため、間締め処理により、ページ８０１とページ８０２のデータを含むページ８０３が生成され、ページ８０４は白紙となる。白紙ページが不要であれば、ページ８０４を削除しても良い。
【００３９】
図８-(b)では、ページ８０５はページ８０１と同様だが、ページ８０６のデータ量が多いため、１ページには収まらずに、ページ８０７とページ８０８の２ページのままである。間締め処理によりページ８０７の方は余白が無い状態になり、ページ８０８の方はページ８０６に比べて余白が多いページとなる。
【００４０】
図９は、各章のページが２ページで７つの章からなる文書を開いたときのＵＩ画面７００の表示例である。この状態で間締め処理を適用すると、第１章の第２ページに第２章の第１ページのデータが移動する。更に、そこでできた余白に、第２章の第２ページのデータが移動と順に繰り返すことで、次々とページのデータが移動する。移動量が少なければ混乱する事も無いが、例えば、第７章の第一ページのデータが、第５章の第２ページ目の位置までずれてしまうとユーザはどこにどのページのデータが移動しているのかを探すのが困難となってしまう。
【００４１】
図１０は、章の構成を考慮した間締め処理の例を示すフローチャートである。
【００４２】
なお、フローチャートで示す手順は製本アプリケーション１０４のプログラムの一部であり、ＲＡＭ２０２,ＲＯＭ２０３,外部メモリ２１１のいずれかの記憶手段に記憶され、ＣＰＵ２０１により実行される。
【００４３】
まず、ステップ１００１で、製本アプリケーション１０４は間締め処理対象を第iページと、第（i+1）ページとする。フローチャートには示していないが、文書全体で間締め処理を実施する場合は、本フローチャートの処理を、iを１から（ページ数-1）まで順に繰り返す制御を実施する。
【００４４】
次にステップ１００２で、製本アプリケーション１０４はブックファイル１０３から文書構造３０１をルートとする文書構造を取得する。
【００４５】
次にステップ１００３で、製本アプリケーション１０４はステップ１００２で取得した文書情報３０１をルートとする文書構造から、第iページと第(i+1)ページとで異なる章に属するかを調べる。章情報リスト３０４から章情報３０５を順に調べ、ページ情報リスト３０８の先頭ページのページデータリンク３１２が第（i+1）であれば、異なる章に属すると判定する事ができる。異なる章に属すると判定した場合ステップ１００４へ、双方が同一の章に属すると判定した場合はステップ１００７へとそれぞれ進む。
【００４６】
ステップ１００４では、製本アプリケーション１０４は章の切れ目以外の条件を必要に応じて確認する。この処理の詳細例は後述する。
【００４７】
次に、ステップ１００５で、製本アプリケーション１０４はステップ１００４での条件確認を受けて、間締め処理を実施してよいとかを判定する。間締め処理をして良いと判定した場合はステップ１００６へ、そうでない場合は本フローの処理を終了する。前述したように、必要に応じてiをインクリメントして次のページで処理を継続してもよい。
【００４８】
ステップ１００６では、製本アプリケーション１０４は間締め処理をする前に第iページのデータの末尾に区切りを示すデータを挿入する。このデータは単純な直線のようなものであっても、章の名称を含む文字列であっても構わない。表示には現れない内部的な検索用のインデックスデータでも良い。また、第iページの末尾ではなく、第(i+1)ページの先頭に置いても良い。さらには、第iページと第(i+1)ページの間にページを含まない章が有る場合、ページを含まない章に対応する区切りデータを挿入してもよい。
【００４９】
ステップ１００７では、製本アプリケーション１０４は間締め処理を実施する。
【００５０】
次にステップ１００８では、製本アプリケーション１０４は間締め処理によって第(i+1)ページが空白ページになったかどうかを判定する。空白ページになった場合はステップ１００９へ進み第(i+1)ページを作事する、そうでない場合は、処理を終了する。
【００５１】
図１１は、ステップ１００４で章の切れ目以外の条件を判定する処理で、ユーザによる条件指定を受け付けるためのＧＵＩの例である。ダイアログ１１００は指定された章の設定を受け付けるためのＧＵＩ部である。チェックボックス１１０１を用いてユーザから章の切れ目において指定された章とその前の章とを同一ページ上に同居させるかどうかの指定を受け付ける事ができる。受け付けた指定は、該当する章の章情報３０５にフラグとして記録する事ができる。
【００５２】
図１２は、図１１のＧＵＩによる指示を含めた、間締め処理を実施してよいかどうかを判定する処理の例を示すフローチャートである。本フローチャートは、図１０のステップ１００４の例である。また、本フローチャートで示す手順は製本アプリケーション１０４のプログラムの一部であり、ＲＡＭ２０２,ＲＯＭ２０３,外部メモリ２１１のいずれかの記憶手段に記憶され、ＣＰＵ２０１により実行される。
【００５３】
ステップ１２０１で、ブックファイル１０３から第iページが属する章（第J章とする）の章情報３０５を章設定情報３０７から取得する。
【００５４】
次に、ステップ１２０２で、ブックファイル１０３から第(i+1)ページが属する章（第Ｋ章とする）の章情報３０５から章設定情報３０７を取得する。
【００５５】
ステップ１２０３では、第Ｋ章の章設定情報３０７からユーザがチェックボックス１１０１で指定した間締め処理を実施してよいかのフラグをチェックし、間締め処理を実施する指定になっていた場合はステップ１２０５へ、そうでない場合はステップ１２０４へと進む。
【００５６】
ステップ１２０４では、第Ｊ章と第Ｋ章の章設定情報３０７を比較して、同一の指定であればステップ１２０５へ、そうでない場合はステップ１２０６へとそれぞれ進む。ここで、章設定情報３０７の全ての項目が一致しているかをチェックするだけでなく、一部分だけの比較で一致・不一致を判定しても構わない。例えば、図５に示す章設定情報３０７で、用紙サイズだけを比較して一致・不一致を判定する方法でもよい。
【００５７】
ステップ１２０５では、図１０のステップ１００５で間締め処理を実施して良いと判定できるように、ＲＡＭ２０２に本フローチャートでの判定結果を記録する。
【００５８】
ステップ１２０６では、図１０のステップ１００５で間締め処理を実施できないと判定できるように、ＲＡＭ２０２に本フローチャートでの判定結果を記録する。
【００５９】
図１３は、間締め処理を実施後、データの移動により白紙ができた場合の白紙除去処理の例を示すフローチャートであり、ステップ１００９を本処理で置き換える事が可能である。本フローチャートで示す手順は製本アプリケーション１０４のプログラムの一部であり、ＲＡＭ２０２,ＲＯＭ２０３,外部メモリ２１１のいずれかの記憶手段に記憶され、ＣＰＵ２０１により実行される。
【００６０】
ステップ１３０１で、製本アプリケーション１０４はブックファイル１０３から文書構造３０１をルートとする文書構造を取得する。
【００６１】
ステップ１３０２で、製本アプリケーション１０４は、処理対象となっている第iページと第(i+1)ページとが異なる章に属しているかを判定する。章情報リスト３０４から章情報３０５を順に調べ、ページ情報リスト３０８の先頭ページのページデータリンク３１２が第（i+1）であれば、異なる章に属すると判定する事ができる。異なる章に属すると判定した場合ステップ１３０３へ、双方が同一の章に属すると判定した場合はステップ１３０４へとそれぞれ進む。
【００６２】
ステップ１３０３では、間締め処理によって空白となった第（i+1）ページを削除して処理を終了する。
【００６３】
ステップ１３０４では、章の構成を維持するかどうかを判定する。章の構成を維持するかどうかは不図示のコントロールによりユーザが指定する事が可能であり、ＧＵＩ部がＲＡＭ２０２に書き込んだユーザの指示結果のフラグを判定に用いることができる。章の構成を保持する場合ステップ１３０５へ、そうでない場合はステップ１３０９へとそれぞれ進む。ステップ１３０５は、第iページのデータを全てからとなった第(i+1)ページへと移動する。ステップ１３０６は、空白となった第iページが属する章（第Ｊ章）の章情報３０５を取得する。ステップ１３０７は、ページデータリスト３１３から第iページを削除する。ステップ１３０８では、第Ｊ章のページ情報リスト３０８から第iページに相当するページ情報３０９を削除する。
【００６４】
ステップ１３０９では、第(i+1)ページが属する章（第Ｋ章）に相当する章情報３０５を取得する。ステップ１３１０では、ページデータリスト３１３から第(i+1)ページを削除する。ステップ１３１１では、ステップ１３０９で取得した第Ｋ章の章情報３０５のページ情報リスト３０８から先頭のページ情報３０９を削除する。
【符号の説明】
【００６５】
１０２ 電子原稿ライタ
１０３ 電子原稿ファイル
１０４  製本アプリケーション
１０５  電子原稿デスプーラ
【図１】
2013161459.tif 000003
【図２】
2013161459.tif 000004
【図３】
2013161459.tif 000005
【図４】
2013161459.tif 000006
【図５】
2013161459.tif 000007
【図６】
2013161459.tif 000008
【図７】
2013161459.tif 000009
【図８】
2013161459.tif 000010
【図９】
2013161459.tif 000011
【図１０】
2013161459.tif 000012
【図１１】
2013161459.tif 000013
【図１２】
2013161459.tif 000014
【図１３】
2013161459.tif 000015